(57)【要約】【課題】小型化が可能な３相３線式欠相保護付き回路遮断器を提供する。【解決手段】３相３線式電路Ｒ，Ｓ，Ｔが欠相していない場合、各相間に電源線２によって接続した整流ダイオードＤ１〜Ｄ３とフォトカプラＰ１〜Ｐ３の発光ダイオードと抵抗器Ｒ１〜Ｒ３とに通電すると、集積回路ＩＣの端子に入力される分圧抵抗Ｒ５，Ｒ６の分圧電圧はフォトカプラＰ１〜Ｐ３のトランジスタのオンによって予め設定した欠相判定基準のしきい値を越えないため、トリップコイルＴＣが駆動せず３相３線式電路Ｒ，Ｓ，Ｔは遮断しない。また、３相３線式電路Ｒ，Ｓ，Ｔの１相が欠相した場合、フォトカプラＰ１〜Ｐ３のうち２つがオフし、その間、集積回路ＩＣの端子にはしきい値を越える電圧が印加される。このとき、集積回路ＩＣはコンデンサＣ２を充電し、コンデンサＣ２が既定値まで充電されるとサイリスタＳＣＲをオンし、トリップコイルＴＣが駆動して開閉接点４が開離する。【選択図】        図１
2004265644.tif 000002
【特許請求の範囲】
【請求項１】
３相３線式電路の各線に接続した電源線から前記３相３線式電路の欠相を集積回路によって検出し、該集積回路の出力によりトリガ回路をオンしてトリップコイルを駆動し、前記３相３線式電路の開閉接点を開離させる３相３線式欠相保護付き回路遮断器において、前記電源線の各相間に整流ダイオードとフォトカプラの発光ダイオードと抵抗器とを夫々接続し、前記電源線に全波整流回路を介して分圧抵抗を接続し、該分圧抵抗の接続点を前記集積回路と、並列に接続した前記フォトカプラのトランジスタのコレクタとに接続し、該トランジスタのエミッタをグランドラインに接続し、前記３相３線式電路が通電している際は前記フォトカプラの発光ダイオードが発光してトランジスタがオンし、前記分圧抵抗の分圧電圧は前記集積回路に予め設定したしきい値を越えず、前記３相３線式電路が欠相した際は欠相した相に接続された前記フォトカプラの発光ダイオードが発光せずトランジスタがオフしている間、前記分圧抵抗の分圧電圧が前記集積回路のしきい値を越えて前記集積回路によって充電回路を充電し、該充電回路が既定値まで充電されると前記集積回路は前記トリガ回路をオンし、前記トリップコイルを駆動させて前記開閉接点を開離させることを特徴とする３相３線式欠相保護付き回路遮断器。
【発明の詳細な説明】
【０００１】
【発明の属する技術分野】
本発明は、３相３線式電路の欠相を検出して回路を遮断する３相３線式欠相保護付き回路遮断器に関する。
【０００２】
【従来の技術】
従来、３相３線式欠相保護付き回路遮断器は、３相３線式電路の各相Ｒ，Ｓ，Ｔの導体を零相変流器に貫通し、零相変流器の出力に増幅器を接続し、この増幅器に電磁装置を接続している。また、零相変流器の一次側各相導体に変流器を設け、これらの変流器の二次巻線を開放三角回路に接続し、開放三角回路の一方の開放端子から出た導体を零相変流器に貫通させて開放三角回路の他方の開放端子へ接続し、開放三角回路の開放端子間の出力電流を利用して、３相欠相時に漏電遮断器をトリップさせるようになっている。（例えば、特許文献１参照。）。
【０００３】
【特許文献１】
特開昭５６−７４０２３号公報（第２頁、第１図）
【０００４】
【発明が解決しようとする課題】
しかしながら、従来の３相３線式欠相保護付き回路遮断器は導体を貫通させることができる大きさの変流器を各相に夫々設けるため、回路遮断器が大型になるという欠点があった。
【０００５】
そこで上記問題点に鑑み、本発明の目的は、遮断器を小型にすることができる３相３線式欠相保護付き回路遮断器を提供することである。
【０００６】
【課題を解決するための手段】
上記目的を達成するために、３相３線式電路の各線に接続した電源線から３相３線式電路の欠相を集積回路によって検出し、集積回路の出力によりトリガ回路をオンしてトリップコイルを駆動し、３相３線式電路の開閉接点を開離させる３相３線式欠相保護付き回路遮断器において、電源線の各相間に整流ダイオードとフォトカプラの発光ダイオードと抵抗器とを夫々接続し、電源線に全波整流回路を介して分圧抵抗を接続し、分圧抵抗の接続点を集積回路と、並列に接続したフォトカプラのトランジスタのコレクタとに接続し、トランジスタのエミッタをグランドラインに接続し、３相３線式電路が通電している際はフォトカプラの発光ダイオードが発光してトランジスタがオンし、分圧抵抗の分圧電圧は集積回路に予め設定したしきい値を越えず、３相３線式電路が欠相した際は欠相した相に接続されたフォトカプラの発光ダイオードが発光せずトランジスタがオフしている間、分圧抵抗の分圧電圧が集積回路のしきい値を越えて集積回路によって充電回路を充電し、充電回路が既定値まで充電されると集積回路はトリガ回路をオンし、トリップコイルを駆動させて開閉接点を開離させることを特徴とする。
【０００７】
【発明の実施の形態】
３相３線式電路が欠相していない場合、３相３線式電路の各相間に電源線によって接続した整流ダイオードとフォトカプラの発光ダイオードと抵抗器とに通電すると、集積回路の端子に入力される分圧抵抗の分圧電圧はフォトカプラのトランジスタのオンによって予め設定した欠相判定基準のしきい値を越えないため、トリップコイルは駆動せず３相３線式電路は遮断しない。また、３相３線式電路の１相が欠相した場合、フォトカプラのうち２つがオフし、その間、集積回路の端子にはしきい値を越える分圧抵抗の分圧電圧が印加される。このとき、集積回路はコンデンサを充電し、コンデンサが既定値まで充電されると集積回路はトリガ信号を出力してサイリスタをオンし、トリップコイルが励磁駆動して開閉接点が開離し、３相３線式電路が遮断する。
【０００８】
【実施例】
本発明に係る３相３線式欠相保護付き回路遮断器の一実施例を図１及び図２の添付図面に基づいて説明する。
【０００９】
３相３線式欠相保護付き回路遮断器１は、３相３線式電路Ｒ，Ｓ，Ｔの各線に電源線２を接続し、電源線２の各相間に、直列接続した整流ダイオードＤ１とフォトカプラＰ１の発光ダイオードと抵抗器Ｒ１、整流ダイオードＤ２とフォトカプラＰ２の発光ダイオードと抵抗器Ｒ２、整流ダイオードＤ３とフォトカプラＰ３の発光ダイオードと抵抗器Ｒ３とを接続し、更に電源線２に全波整流回路３が接続されている。全波整流回路３の出力端間には３相３線式電路Ｒ，Ｓ，Ｔの開閉接点４を開離させるためのトリップコイルＴＣと、トリップコイルＴＣを駆動させるためのトリガ回路としてのサイリスタＳＣＲが直列に接続され、サイリスタＳＣＲのゲートは過電圧検出機能を備えた集積回路ＩＣの８番端子に接続されている。また、全波整流回路３からトリップコイルＴＣを介して集積回路ＩＣに接続した電源ライン５に降圧用の抵抗器Ｒ４が接続され、電源ライン５とグランドライン６間に平滑コンデンサＣ１と、定電圧ダイオードＺＤと、分圧抵抗Ｒ５，Ｒ６が接続されている。分圧抵抗Ｒ５，Ｒ６の接続点７は集積回路ＩＣの１１番端子と、フォトカプラＰ１〜Ｐ３のトランジスタのコレクタとに接続され、トランジスタのエミッタはグランドライン７に接続されている。集積回路ＩＣの１０番端子とグランドライン間には充電回路としてのコンデンサＣ２が接続されている。
【００１０】
３相３線式電路Ｒ，Ｓ，Ｔが正常に通電している場合、即ち、欠相していない場合は図２（ａ）のＰ１〜Ｐ３電流波形で分かるようにフォトカプラＰ１〜Ｐ３は電流波形の位相が１２０゜ずれた状態で順に通電しており、常に何れかの発光ダイオードとトランジスタがオンしている。また、全波整流回路３と抵抗器Ｒ４と平滑コンデンサＣ１と定電圧ダイオードＺＤとで交流電圧を降圧した直流電圧に変換し、分圧抵抗Ｒ５，Ｒ６の接続点７には集積回路ＩＣが過電圧検出と判断するしきい値を越える電圧が発生しているが、トランジスタのオンにより、図２（ｂ）の１１番端子電圧波形で分かるように集積回路ＩＣの１１番端子にはしきい値を越える電圧は印加されない。よって、集積回路ＩＣはトリガ信号を出力せず、サイリスタＳＣＲがオンしないのでトリップコイルＴＣは駆動せず、３相３線式電路Ｒ，Ｓ，Ｔは遮断しない。
【００１１】
また、３相３線式電路Ｒ，Ｓ，Ｔの１相が欠相した場合、図２（ａ）のＰ１〜Ｐ３電流波形で分かるように欠相した相に接続された２つのフォトカプラはオンせず、１つのフォトカプラだけしかオンしない。よって、２つのトランジスタがオンしないので、この２つのトランジスタがオフしている間、集積回路ＩＣの１１番端子にしきい値を越える分圧抵抗Ｒ５，Ｒ６の分圧電圧が印加される。これを受けて集積回路ＩＣは図２（ｃ）の１０番端子電圧波形に示すようにコンデンサＣ２を充電する。そしてコンデンサＣ２が既定値まで充電されると図２（ｄ）の８番端子電圧波形に示すように集積回路ＩＣの８番端子からトリガ信号を出力してサイリスタＳＣＲをオンし、トリップコイルＴＣが励磁駆動して開閉接点４を開離させ、３相３線式電路Ｒ，Ｓ，Ｔを遮断する。
【００１２】
尚、何らかの理由によりフォトカプラＰ１〜Ｐ３の通電が瞬時停止してもコンデンサＣ２が既定値まで充電されない限りトリップコイルＴＣが駆動しないので誤動作を防止することができる。
【００１３】
また、本発明において図３に示すように集積回路ＩＣに漏電検出機能を有するものを使用し、零相変流器８を追加することにより、少ない部品点数で簡単に３相３線式欠相保護付き漏電遮断器に変更することができる。尚、９は漏電テスト回路である。
【００１４】
【発明の効果】
以上説明したように３相３線式電路の各線に接続した電源線から３相３線式電路の欠相を集積回路によって検出し、集積回路の出力によりトリガ回路をオンしてトリップコイルを駆動し、３相３線式電路の開閉接点を開離させる３相３線式欠相保護付き回路遮断器において、電源線の各相間に整流ダイオードとフォトカプラの発光ダイオードと抵抗器とを夫々接続し、電源線に全波整流回路を介して分圧抵抗を接続し、分圧抵抗の接続点を集積回路と、並列に接続したフォトカプラのトランジスタのコレクタとに接続し、トランジスタのエミッタをグランドラインに接続し、３相３線式電路が通電している際はフォトカプラの発光ダイオードが発光してトランジスタがオンし、分圧抵抗の分圧電圧は集積回路に予め設定したしきい値を越えず、３相３線式電路が欠相した際は欠相した相に接続されたフォトカプラの発光ダイオード発光せずトランジスタがオフしている間、分圧抵抗の分圧電圧が集積回路のしきい値を越えて集積回路によって充電回路を充電し、充電回路が既定値まで充電されると集積回路はトリガ回路をオンし、トリップコイルを駆動させて開閉接点を開離させることにより、遮断器を小型にすることができるという効果がある。
【図面の簡単な説明】
【図１】本発明に係る３相３線式欠相保護付き回路遮断器の回路図である。
【図２】図１の回路の各部における波形図を示し、（ａ）はフォトカプラＰ１〜Ｐ３の電流波形、（ｂ）は集積回路の１１番端子電圧波形、（ｃ）は集積回路の１０番端子電圧波形、（ｄ）は集積回路の８番端子電圧波形である。
【図３】本発明に係る３相３線式欠相保護付き回路遮断器の変形実施例である。
【符号の説明】
１…３相３線式欠相保護付き回路遮断器
２…電源線
３…全波整流回路
４…開閉接点
５…電源ライン
６…グランドライン
７…接続点
Ｒ，Ｓ，Ｔ…３相３線式電路
Ｄ１〜Ｄ３…整流ダイオード
Ｐ１〜Ｐ３…フォトカプラ
Ｒ１〜Ｒ４…抵抗器
Ｒ５，Ｒ６…分圧抵抗
ＴＣ…トリップコイル
ＳＣＲ…サイリスタ
ＩＣ…集積回路
Ｃ１，Ｃ２…コンデンサ
ＺＤ…定電圧ダイオード
【図１】
2004265644.tif 000003
【図２】
2004265644.tif 000004
【図３】
2004265644.tif 000005